(57)【要約】供給糸巻（１）から供給される糸（５）が糸処理装置（４）に送給される前に一時的に蓄えられる給糸ドラム（３）を含む糸準備装置（２）を備える製織装置であって、この装置は、ドラム表面に対して可動であり、所望の時点で糸（５）の巻き戻しを阻止することができる停止要素（７）を含み、さらに、この装置は、少なくとも横糸挿入工程の１つまたは複数の部分区間中の糸の力を測定するととともに、得た値を評価装置（１５）に送信する手段を含み、評価装置（１５）は、前記値を表示装置（１７）に少なくとも送信し、停止要素（７）は、場合によっては可動な制動要素（６）もまた、糸（５）によって前記要素に与えられる力を測定するとともに、この測定データを評価装置（１５）および表示装置（１７）に送信する力測定手段を含む。
2004536238.tif 000002
【特許請求の範囲】
【請求項１】
糸準備装置を備える製織装置であって、供給糸巻から供給される糸が糸処理装置に送給される前に一時的に蓄えられる給糸ドラムを含み、ドラム表面に対して可動であり、所望の時点で糸の巻き戻しを阻止することができる停止要素を含み、少なくとも横糸挿入工程の１つまたは複数の部分区間中の糸の力を測定するとともに、得た値を、評価装置に送信する手段をさらに含み、評価装置は、前記値を、表示装置に少なくとも送信する製織装置において、停止要素は、糸が停止要素に接触する横糸挿入工程の区間中に糸によって停止要素に与えられる力を測定するとともに、測定データを評価装置に送信する第１力測定手段を含み、評価装置は、前記信号を表示装置に伝送することを特徴とする製織装置。
【請求項２】
糸準備装置と糸処理装置との間に配置され、糸が通過する糸挿入制動装置をさらに含み、該糸制動装置は、糸が制動装置に接触する横糸挿入工程の区間中の糸張力を測定するとともに、対応する信号を少なくとも前記評価装置に伝達する第２力測定手段を含み、評価装置は、前記信号を表示装置に伝送することを特徴とする請求項１記載の製織装置。
【請求項３】
前記評価装置はまた、製織装置の制御処理装置から信号を受信するとともに、製織装置の制御処理装置に信号を送信することを特徴とする請求項１または２記載の製織装置。
【発明の詳細な説明】
【０００１】
本発明は、糸準備装置を備える製織装置に関し、該製織装置は供給糸巻から供給される糸が糸処理装置に送給される前に一時的に蓄えられる給糸ドラムを含み、この装置は、ドラム表面に対して可動な停止要素を含み、この停止要素は、所望の時点で糸の巻き戻しを阻止することができ、さらに、この装置は、少なくとも横糸挿入工程の１つまたは複数の部分区間中の糸の力を測定する手段を含み、この手段は、得た値を、評価装置に送信し、この装置は、前記値を表示装置に少なくとも送信する。
前述の種の製織装置は、たとえば国際出願ＷＯ００／５６９６４から知られている。
【０００２】
前記の既知の装置において、横糸は、供給ドラムを離れた後に制動装置を通過し、続いて張力測定装置を通過し、この張力測定装置は、糸張力を継続的に測定するとともに、その測定値を評価装置に送信し、次いで、この評価装置は、その信号を表示装置に送信し、ここにおいて横糸挿入工程中の糸張力の発生が可視化されるので、使用者は、これに注意することができるとともに、これに基づいてパラメータを調節することができる。
【０００３】
これを達成するために、既知の装置は、追加の要素、すなわち、張力測定装置を用いるが、これは、追加のコストのみならず、もちろん追加の摩擦および糸の擦り切れをも伴い、したがって、製織工程に不都合な影響を与える。
【０００４】
本発明の目的は、同種の装置であって、糸張力の情報を得るために追加の要素を備える必要のない装置を提供することである。
【０００５】
本発明は、横糸挿入工程中の糸張力の発生に関する正しい識見を得るために、横糸挿入工程の特定の重要な区間に関する糸張力を知ることと、それを可視化することとを実際に満足させるという概念に基づく。前記の重要な点は、一般的に、開始段階、制動段階、停止段階および切断段階である。
【０００６】
この目的を達成するために、本発明に従った製織装置は、停止要素が、糸が停止要素と接触する横糸挿入工程のこれらの区間中に糸によって停止要素に与えられる力を測定するとともに、測定データを評価装置に送信する第１力測定手段を含むことを特徴とする。
【０００７】
こうして、糸張力の情報は、横糸挿入工程の重要な区間、すなわち、開始段階、停止段階および切断段階で得られるが、別の機能を有する装置にすでに存在する要素が用いられる。糸に与えられる力を測定可能とするために、停止要素は、たとえば与えられている力を測定するとともに、その測定値を評価装置に送信する圧力センサを備える。
【０００８】
制動段階の期間中の糸張力に関する情報をも得るために、本発明に従った装置の別の実施形態は、糸準備装置および糸処理装置の間に配置される糸制動装置をさらに含み、この糸制動装置は、可動な制動要素に糸が接触する横糸挿入工程の区間中の糸張力を測定するとともに、その測定信号を、少なくとも前記評価装置に伝達する第２力測定手段を含み、次いで、この評価装置は、前記信号を表示装置に伝送する。
【０００９】
こうして、使用者は、前記横糸工程の前述の重要な区間中の糸張力に関する好ましい識見を得る。
【００１０】
本発明に従った製織装置の別の実施形態に従えば、前記評価装置はまた、製織装置の制御処理装置に接続され、この制御処理装置が、評価装置から受信した信号に基づいて正しい制御動作を実行することを可能とする。
【００１１】
以下において、本発明は、本発明に従った製織装置の実施形態を示す添付図面を参照して、より詳細に説明される。
【００１２】
図１において、符号１は、糸巻を示す。糸５は、前記糸巻から、糸が多数巻かれて蓄えられているドラム３を含む糸準備装置２まで達しており、このドラムから、糸は、織機４の形をとっている糸処理装置に供給される。さらに、糸５は、給糸ドラム３および織機４の間に配置される挿入制動装置６を通過する。
【００１３】
給糸ドラム３の円周面に対向して配置されるのは、図３に示すように設定され得る停止要素７である。この図において示すように、停止要素は、電気コイル９を包含するハウジング８から組み立てられており、これは、電圧源（図示しない）に接続され得るとともに、コイル９によって与えられる力の作用下で上方および下方に可動であり、かつドラムに向かって移動された位置で供給ドラム３からの糸５の巻き戻しを防止するアンカー１０と、共に作用する。アンカー１０は、停止ピン１１を備え、前述したように、ドラムに向かって移動されることができる。停止ピン１１は、圧力センサ１３を取り付けたベアリング１２に案内され、これによって、糸５により停止ピン１１に与えられる力を測定することができる。圧力センサ１３からの信号は、ライン１４を介して、評価装置１５に送信され、次いで、この評価装置１５は、この信号を、ライン１６を介して表示パネル１７に送信する。
【００１４】
図４ｂにおいて詳細に示すように、横糸挿入工程の特定の期間中に、糸５を減速させる機能を有する制動装置６は、可動な制動要素１８を備え、これは図４ｂにおいてより詳細に示すように、レバーであってもよく、たとえば、これは、異なる制動効果を得るために異なる位置にアーム１８を移動させることができる電気モータ１９の軸に搭載され、このモータにより与えられる力は、糸の力の程度である。このモータに供給された電流と、前記可動な要素の位置とを測定することによって、レバー１８が糸５に与える力の程度を得ることができ、したがって、糸の張力の程度を得ることができる。前記張力の値は、ライン３０を介して、評価装置１５に同様に供給され、次いで、この評価装置１５は、この値を、ライン１６を介して、前記張力を続いて可視化することができる表示パネル１７に送信する。
【００１５】
製織工程中に、多数の段階が現れ、これらの段階は、図２に連続的に示される。開始段階Ｉの期間中、糸５は、停止要素７と未だ接しており、糸５により停止要素に与えられる張力は、この段階の期間中、上昇線３１として表示パネルに表示される。開始段階Ｉの後、特定の糸張力がメインインジェクタによって実現されるが、糸がほぼ等速で織機４を通過する期間が続き、この後、制動段階ＩＩは、糸５が杼道の終点にほぼ達した時点で始まり、この時点で制動装置６が作動し始め、制動力が、制動要素１８によって糸５に与えられ、これに対する反動で、糸の力が、制動要素１８に与えられる。前記糸の力は、制動要素１８によって測定され、この測定値は、評価装置１４に送信され、この評価装置１４は、続いて、この測定値を、制動段階ＩＩの期間中の張力の発生を表すピーク３２の形で、表示パネル１７に可視化させる。制動段階の終期に停止段階ＩＩＩが始まり、停止要素１１は、ドラム表面３に対して押圧され、これによって、糸の巻き戻しはさらに防止され、糸は、停止要素１１に糸の力を与え、この糸の力は、圧力センサ１３によって測定され、この測定値は、評価装置１５に送信され、この評価装置１５は、前記糸の力を、表示パネル１７に線３３として表示する。停止段階ＩＩＩの終期に、糸は切断され、切断段階ＩＶが現れ、ここにおいて糸５は、停止要素１１に未だ接しており、この停止要素１１は、その時点で糸の張力を測定し、この測定値を、評価装置１５に送信し、この評価装置１５は、前記張力を、前記段階の期間中、表示パネル１７に線３４として再び表示する。こうして、糸張力の好ましい画像が、少なくとも図２に示すような重要な段階Ｉ、ＩＩ、ＩＩＩおよびＩＶについて得られる。したがって、使用者は、常に、前記重要な段階の期間中の糸張力の発生に注意することができる。使用者は、得た情報に基づいて装置の調整を変更してもよい。装置の調整の変更はまた、自動的に行われてもよく、ここにおいて評価装置１５は、織機および／または製織装置の制御処理装置４２と、ライン４０および４１を介して通信する。
【００１６】
本発明に従えば、前述のようにして、製織装置にすでに存在する要素によって、横糸挿入工程の重要な段階の期間中の糸張力に関する情報を集めることが可能となる。
【図面の簡単な説明】
【００１７】
【図１】製織装置の配列を概略的に示す。
【図２】横糸工程中の糸張力の発生を概略的に示す。
【図３】図１に示す製織装置において用いられる停止要素の概略的な断面図である。
【図４】図１に示す製織装置において用いられ得るような挿入制動装置を概略的に示す。
【図２】
2004536238.tif 000003
【国際公開パンフレット】
2004536238.tif 000004
2004536238.tif 000005
2004536238.tif 000006
2004536238.tif 000007
2004536238.tif 000008
2004536238.tif 000009
2004536238.tif 000010
2004536238.tif 000011
2004536238.tif 000012
【国際調査報告】
2004536238.tif 000013
2004536238.tif 000014
2004536238.tif 000015